(57)【要約】【課題】記憶媒体の付加された文書において、紙面上に表示されている情報の記憶媒体への入力を簡略化すること。【解決手段】原稿を光学的に走査する画像処理装置１であって、装置動作を制御するコントローラ１１０と、原稿を光学的に走査して撮像画像を生成するスキャナユニット１０２と、コントローラ１１０と原稿に付加されているＲＦＩＤ２００との間で情報を伝達するＲＦＩＤ通信回路１０４とを有し、コントローラ１１０は、原稿の紙面から抽出する範囲を特定するための文字配置情報を取得する文字配置情報取得手段と、抽出範囲の撮像画像に基づいて生成された情報を、ＲＦＩＤ通信回路１０４を介してＲＦＩＤ２００に格納する情報書き込み手段とを有することを特徴とする。【選択図】図１
2008236088.tif 000002
【特許請求の範囲】
【請求項１】
原稿を光学的に走査する画像処理装置であって、
装置動作を制御する制御部と、
前記原稿を光学的に走査して撮像画像を生成する撮像部と、
前記制御部と前記原稿に付加されている付加記憶部との間で情報を伝達する通信部とを有し、
前記制御部は、
前記原稿の紙面から抽出する範囲を特定するための抽出範囲特定情報を取得する抽出範囲特定情報取得手段と、
前記抽出範囲の撮像画像に基づいて生成された情報を、前記通信部を介して前記付加記憶部に格納する情報書き込み手段とを有することを特徴とする、画像処理装置。
【請求項２】
前記抽出範囲特定情報が格納されたフォーマット記憶部を有し、
前記抽出範囲特定情報取得手段は、前記フォーマット記憶部から前記抽出範囲特定情報を取得することを特徴とする、請求項１に記載の画像処理装置。
【請求項３】
前記フォーマット記憶部は、
複数の異なるフォーマットに係る前記抽出範囲特定情報と、
前記異なるフォーマット毎に前記抽出範囲特定情報に関連付けられたフォーマット特定情報とを有し、
前記抽出範囲特定情報取得手段は、前記付加記憶部から取得したフォーマット特定情報に基づいて前記フォーマット記憶部から前記抽出範囲特定情報を取得することを特徴とする、請求項２に記載の画像処理装置。
【請求項４】
用紙に対して画像形成を実行する画像形成部を更に有し、
前記フォーマット記憶部は、前記抽出範囲特定情報に対応する前記原稿の紙面上に予め表示される画像の画像情報を有し、
前記画像形成部は、前記フォーマット記憶部から取得した前記画像情報に基づいて画像形成を実行し、
前記制御部は、前記画像情報に対応するフォーマット特定情報を、前記通信部を介して前記用紙に付加された付加記憶部に格納することを特徴とする、請求項２または３に記載の画像処理装置。
【請求項５】
用紙に対して画像形成を実行する画像形成部と、
個人認証情報を入力する情報入力手段とを更に有し、
前記フォーマット記憶部は、前記抽出範囲特定情報に対応する前記原稿の紙面上に予め表示される画像の画像情報を有し、
前記画像形成部は、前記フォーマット記憶部から取得した前記画像情報に基づいて画像形成を実行し、
前記制御部は、前記入力手段から入力された個人認証情報を、前記通信部を介して前記用紙に付加された付加記憶部に格納することを特徴とする、請求項２または３に記載の画像処理装置。
【請求項６】
前記抽出範囲特定情報取得手段は、前記付加記憶部に格納されている抽出範囲特定情報を取得することを特徴とする、請求項１に記載の画像処理装置。
【請求項７】
前記抽出範囲特定情報が格納されたフォーマット記憶部を有し、
前記抽出範囲特定情報取得手段は、前記付加記憶部から取得した抽出範囲特定情報及び当該抽出範囲特定情報に関連付けられたフォーマット特定情報を前記フォーマット記憶部に記憶することを特徴とする、請求項６に記載の画像処理装置。
【請求項８】
前記抽出範囲特定情報は、前記原稿の撮像画像上の座標に基づいて、前記抽出範囲を特定することを特徴とする、請求項１乃至７いずれか１項に記載の画像処理装置。
【請求項９】
前記抽出範囲特定情報は、前記原稿の紙面上における当該紙面上に表示された情報との相対位置情報に基づいて、前記抽出範囲を特定することを特徴とする、請求項１乃至７いずれか１項に記載の画像処理装置。
【請求項１０】
前記制御部は、前記原稿の抽出範囲に表示された文字を文字情報として認識する文字認識手段を更に有し、
前記情報書き込み手段は、前記文字認識手段が生成した文字情報を、前記通信部を介して前記付加記憶部に格納することを特徴とする、請求項１乃至９いずれか１項に記載の画像処理装置。
【請求項１１】
前記抽出範囲特定情報は、前記原稿の抽出範囲に予め表示されている文字の文字情報である文字認識補助情報を含み、
前記文字認識手段は、前記原稿の抽出範囲に予め表示されている文字と前記文字認識補助情報とに基づいて、前記抽出範囲に表示された文字を文字情報として認識することを特徴とする、請求項１０に記載の画像処理装置。
【請求項１２】
前記制御部は、前記通信部を介して前記付加記憶部に格納された情報を読み出す情報読出し手段と、
前記抽出範囲の撮像画像に基づいて生成された情報と前記情報読出し手段が読み出した情報とを比較する比較手段とを更に有することをと特徴とする、請求項１乃至１１いずれか１項に記載の画像処理装置。
【請求項１３】
原稿を光学的に走査する画像処理装置の制御方法であって、
前記原稿を光学的に走査して撮像し、
前記原稿の紙面から抽出する範囲を特定するための抽出範囲特定情報を取得し、
前記抽出範囲の撮像画像に基づいて生成された情報を前記原稿に付加された記憶部に格納することを特徴とする、画像処理装置の制御方法。
【請求項１４】
請求項１３に記載の制御方法を情報処理装置に実行させることを特徴とする画像処理装置制御プログラム。
【請求項１５】
請求項１４に記載の画像処理装置制御プログラムを情報処理装置が読み取り可能な形式で記録したことを特徴とする記録媒体。
【発明の詳細な説明】
【技術分野】
【０００１】
本発明は、画像処理装置、画像処理装置の制御方法、画像処理装置制御プログラム及び記録媒体に関し、特に、記憶媒体の付加された文書において、記憶媒体に記憶された情報の管理に関する。
【背景技術】
【０００２】
近年、情報の電子化が推進される傾向にあり、電子化された情報の出力に用いられるプリンタやファクシミリ、書類の電子化に用いるスキャナ等の画像形成装置は欠かせない機器となっている。このような画像形成装置は、撮像機能、画像形成機能及び通信機能等を備えることにより、プリンタ、ファクシミリ、スキャナ、複写機として利用可能な複合機として構成されることが多い。他方、文書に付加したＲＦＩＤ等の記憶媒体に各種の情報を格納し、文書を管理する方法が提案されている（例えば、特許文献１参照）。特許文献１においては、文書を印刷する際に、用紙に付加されているＲＦＩＤから識別子を読み取り、当該読み取った識別子と用紙に印刷したコンテンツ情報を特定する情報とを関連付けて保存することにより、文書を用紙レベルで識別して管理することを可能としている。特許文献１に開示されている情報は、文書の印刷を前提としており、本発明とはその趣旨を異にする。
【特許文献１】特開２００２−１２０４７５号公報
【発明の開示】
【発明が解決しようとする課題】
【０００３】
ＲＦＩＤ付き文書の一態様として、紙面上に印刷された内容に対応する情報がＲＦＩＤに記憶されたものがある。このような文書を生成するためには、紙面上に情報を印刷すると共に、ＲＦＩＤに当該情報を記憶する必要がある。特許文献１においては、紙面に対して印刷を実行するタイミングが前提となっている。しかしながら、既に紙面上に印刷若しくは手書きされた文書において、付加された記憶媒体に情報を書き込む態様が考えられる。例えば、宅配サービス等の荷受け時において、ユーザによって送り先等が記入された伝票の内容を、記憶媒体に書き込むような態様が考えられる。従来技術においては、このような場合、伝票に印刷若しくは手書きされた内容を手作業によりＰＣ（Ｐｅｒｓｏｎａｌ  Ｃｏｍｐｕｔｅｒ）等に入力し、専用のライタを介して書き込む必要があり、作業効率や手作業による入力ミスの課題等がある。
【０００４】
本発明は、上述した実情を考慮してなされたもので、記憶媒体の付加された文書において、紙面上に表示されている情報の記憶媒体への入力を簡略化することを目的とする。
【課題を解決するための手段】
【０００５】
上記の課題を解決するために、請求項１に記載の発明は、原稿を光学的に走査する画像処理装置であって、装置動作を制御する制御部と、前記原稿を光学的に走査して撮像画像を生成する撮像部と、前記制御部と前記原稿に付加されている付加記憶部との間で情報を伝達する通信部とを有し、前記制御部は、前記原稿の紙面から抽出する範囲を特定するための抽出範囲特定情報を取得する抽出範囲特定情報取得手段と、前記抽出範囲の撮像画像に基づいて生成された情報を、前記通信部を介して前記付加記憶部に格納する情報書き込み手段とを有することを特徴とする。
【０００６】
また、請求項２に記載の発明は、請求項１に記載の画像処理装置において、前記抽出範囲特定情報が格納されたフォーマット記憶部を有し、前記抽出範囲特定情報取得手段は、前記フォーマット記憶部から前記抽出範囲特定情報を取得することを特徴とする。
【０００７】
また、請求項３に記載の発明は、請求項２に記載の画像処理装置において、前記フォーマット記憶部は、複数の異なるフォーマットに係る前記抽出範囲特定情報と、前記異なるフォーマット毎に前記抽出範囲特定情報に関連付けられたフォーマット特定情報とを有し、前記抽出範囲特定情報取得手段は、前記付加記憶部から取得したフォーマット特定情報に基づいて前記フォーマット記憶部から前記抽出範囲特定情報を取得することを特徴とする。
【０００８】
また、請求項４に記載の発明は、請求項２または３に記載の画像処理装置において、用紙に対して画像形成を実行する画像形成部を更に有し、前記フォーマット記憶部は、前記抽出範囲特定情報に対応する前記原稿の紙面上に予め表示される画像の画像情報を有し、前記画像形成部は、前記フォーマット記憶部から取得した前記画像情報に基づいて画像形成を実行し、前記制御部は、前記画像情報に対応するフォーマット特定情報を、前記通信部を介して前記用紙に付加された付加記憶部に格納することを特徴とする。
【０００９】
また、請求項５に記載の発明は、請求項２または３に記載の画像処理装置において、用紙に対して画像形成を実行する画像形成部と、個人認証情報を入力する情報入力手段とを更に有し、前記フォーマット記憶部は、前記抽出範囲特定情報に対応する前記原稿の紙面上に予め表示される画像の画像情報を有し、前記画像形成部は、前記フォーマット記憶部から取得した前記画像情報に基づいて画像形成を実行し、前記制御部は、前記入力手段から入力された個人認証情報を、前記通信部を介して前記用紙に付加された付加記憶部に格納することを特徴とする。
【００１０】
また、請求項６に記載の発明は、請求項１に記載の画像処理装置において、前記抽出範囲特定情報取得手段は、前記付加記憶部に格納されている抽出範囲特定情報を取得することを特徴とする。
【００１１】
また、請求項７に記載の発明は、請求項６に記載の画像処理装置において、前記抽出範囲特定情報が格納されたフォーマット記憶部を有し、前記抽出範囲特定情報取得手段は、前記付加記憶部から取得した抽出範囲特定情報及び当該抽出範囲特定情報に関連付けられたフォーマット特定情報を前記フォーマット記憶部に記憶することを特徴とする。
【００１２】
また、請求項８に記載の発明は、請求項１乃至７いずれか１項に記載の画像処理装置において、前記抽出範囲特定情報は、前記原稿の撮像画像上の座標に基づいて、前記抽出範囲を特定することを特徴とする。
【００１３】
また、請求項９に記載の発明は、請求項１乃至７いずれか１項に記載の画像処理装置において、前記抽出範囲特定情報は、前記原稿の紙面上における当該紙面上に表示された情報との相対位置情報に基づいて、前記抽出範囲を特定することを特徴とする。
【００１４】
また、請求項１０に記載の発明は、請求項１乃至９いずれか１項に記載の画像処理装置において、前記制御部は、前記原稿の抽出範囲に表示された文字を文字情報として認識する文字認識手段を更に有し、前記情報書き込み手段は、前記文字認識手段が生成した文字情報を、前記通信部を介して前記付加記憶部に格納することを特徴とする。
【００１５】
また、請求項１１に記載の発明は、請求項１０に記載の画像処理装置において、前記抽出範囲特定情報は、前記原稿の抽出範囲に予め表示されている文字の文字情報である文字認識補助情報を含み、前記文字認識手段は、前記原稿の抽出範囲に予め表示されている文字と前記文字認識補助情報とに基づいて、前記抽出範囲に表示された文字を文字情報として認識することを特徴とする。
【００１６】
また、請求項１２に記載の発明は、請求項１乃至１１いずれか１項に記載の画像処理装置において、前記制御部は、記通信部を介して前記付加記憶部に格納された情報を読み出す情報読出し手段と、前記抽出範囲の撮像画像に基づいて生成された情報と前記情報読出し手段が読み出した情報とを比較する比較手段とを更に有することをと特徴とする。
【００１７】
また、請求項１３に記載の発明は、原稿を光学的に走査する画像処理装置の制御方法であって、前記原稿を光学的に走査して撮像し、前記原稿の紙面から抽出する範囲を特定するための抽出範囲特定情報を取得し、前記抽出範囲の撮像画像に基づいて生成された情報を前記原稿に付加された記憶部に格納することを特徴とする。
【００１８】
また、請求項１４に記載の発明は画像処理装置制御プログラムであって、請求項１３に記載の制御方法を情報処理装置に実行させることを特徴とする。
また、請求項１５に記載の発明は記録媒体であって、請求項１４に記載の画像処理装置制御プログラムを情報処理装置が読み取り可能な形式で記録したことを特徴とする。
【発明の効果】
【００１９】
本発明によれば、記憶媒体の付加された文書において、紙面上に表示されている情報の記憶媒体への入力を簡略化することが可能となる。
【発明を実施するための最良の形態】
【００２０】
以下、図面を参照して、本発明の実施形態を詳細に説明する。
【実施例１】
【００２１】
図１は、本実施例に係る画像読取装置１の全体構成を示すブロック図である。図１に示すように、本実施例に係る画像読取装置１は、ＡＤＦ（Ａｕｔｏ  Ｄｏｃｕｍｅｎｎｔ  Ｆｅｅｄｅｒ：原稿自動搬送装置）１０１、撮像部であるスキャナユニット１０２、排紙トレイ１０３、ＲＦＩＤ（Ｒａｄｉｏ  Ｆｒｅｑｕｅｎｃｙ  Ｉｄｅｎｔｉｆｉｃａｔｉｏｎ）通信回路１０４、ホストＩ／Ｆ１０５、ディスプレイパネル１０６及びコントローラ１１０を有する。また、コントローラ１１０は、主制御部１１１、エンジン制御部１１２、入出力制御部１１３及び文書フォーマット記憶部１１４を有する。尚、図１においては、電気的接続を実線の矢印で示しており、用紙若しくは文書束の流れを破線の矢印で示している。
【００２２】
ＲＦＩＤ通信回路１０４は、ＡＤＦ１０１から排紙トレイ１０３までを搬送される文書に設けられた付加記憶部であるＲＦＩＤとの通信を行うための通信部である。これについては後に詳述する。ホストＩ／Ｆ１０５は、画像読取装置１がＬＡＮ（Ｌｏｃａｌ  Ａｒｅａ  Ｎｅｔｗｏｒｋ）等の回線を介してホスト装置等の他の機器と通信する際のインターフェースである。ディスプレイパネル１０６は、画像読取装置１の状態を視覚的に表示する出力インターフェースであると共に、タッチパネルとしてユーザが画像読取装置１を直接操作する際の入力インターフェースでもある。
【００２３】
コントローラ１１０は、ソフトウェアとハードウェアとの組み合わせによって構成される。具体的には、ＲＯＭ（Ｒｅａｄ  Ｏｎｌｙ  Ｍｅｍｏｒｙ）やＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）並びに磁気ディスクや光学ディスク等の不揮発性記憶媒体に格納されたファームウェア等の制御プログラムが、ＤＲＡＭ（Ｄｙｎａｍｉｃ  Ｒａｎｄｏｍ  Ａｃｃｅｓｓ  Ｍｅｍｏｒｙ）等の揮発性メモリ（以下、メモリ）にロードされ、ＣＰＵ（Ｃｅｎｔｒａｌ  Ｐｒｏｃｅｓｓｉｎｇ  Ｕｎｉｔ）の制御に従って構成されるソフトウェア制御部と集積回路などのハードウェアとによってコントローラ１１０が構成される。
【００２４】
主制御部１１１は、コントローラ１１０に含まれる各制御部全体を制御する役割を担い、他の制御部が受信若しくは生成した信号に基づいてコントローラ１１０の各部に命令を与える。エンジン制御部１１２は、スキャナユニット１０２を制御若しくは駆動する駆動手段としての役割を担う。具体的には、エンジン制御部１１２は、主制御部１１１の命令に従ってＡＤＦ１０１に含まれる原稿給紙台及び搬送ローラを駆動し、スキャナユニット１０２に読み取り原稿を搬送する。また、エンジン制御部１１２は、スキャナユニット１０２を駆動して原稿の光学情報を電気信号に変換し、画像情報を生成する。スキャナユニット１０２において撮像された原稿は排紙トレイ１０３に排出される。
【００２５】
また、エンジン制御部１１２は、ＲＦＩＤ通信回路１０４と接続されており、ＲＦＩＤ通信回路１０４を介して文書に設けられたＲＦＩＤとの通信を行う。入出力制御部１１３は、ホストＩ／Ｆ１０５を介して入力される情報やディスプレイパネル１０６からユーザによって入力する操作情報を主制御部１１１に入力すると共に、主制御部１１１の命令に従ってディスプレイパネル１０６に情報表示を行い若しくはホストＩ／Ｆ１０５を介してホスト装置に情報を送信する。文書フォーマット記憶部１１４は、スキャナユニット１０２が読み取るＲＦＩＤ付き文書のフォーマットに関する情報を記憶しているデータベースである。文書フォーマット記憶部１１４については後に詳述する。
【００２６】
このような画像読取装置１において、本実施例の要旨は、スキャナユニット１０２をＯＣＲ（Ｏｐｔｉｃａｌ  Ｃｈａｒａｃｔｅｒ  Ｒｅａｄｅｒ）として動作させ、光学的に読み取った文書の画像情報を文字情報に変換し、文書に付加されたＲＦＩＤに記憶することにある。先ず、図２を用いて本実施例にて用いられるＲＦＩＤ付き用紙について説明する。図２は、本実施例に係るＲＦＩＤ付き文書Ｐを示す平面図である。図２に示すように、ＲＦＩＤ２００は、所定のサイズにカットされた用紙に貼り付けられる形で設けられており、これによりＲＦＩＤ付き文書Ｐが構成されている。ＲＦＩＤ２００は非常に薄く形成されているため、通常の用紙と同様に紙媒体として扱うことが可能である。
【００２７】
次に、図３を用いて本実施例に係るＲＦＩＤ２００について説明する。図３は、本実施例に係るＲＦＩＤ２００の全体構成を示すブロック図である。図３に示すように、本実施例に係るＲＦＩＤ２００は、不揮発性メモリ２０１、制御回路２０２、変調回路２０３、復調回路２０４、電源回路２０５、送信回路２０６、送信用アンテナ２０７、受信用アンテナ２０８及び受信回路２０９を有する。画像読取装置１に設けられたＲＦＩＤ通信回路１０４は図２に示すＲＦＩＤ２００と略同じ回路構成になっている。主制御部１１１の制御に基づいて入出力制御部１１３から出力された信号を、ＲＦＩＤ通信回路１０４は伝送用の電磁波に変換して送信する。ＲＦＩＤ２００は受信用アンテナ２０８で受けた電磁波の信号を受信回路２０９で増幅し復調回路２０４に送信する。また、受信用アンテナ２０８は、電磁波として受信した信号を電源回路２０５に送信する。電源回路２０５は受信用アンテナ２０８が受信した電磁波を整流し、ＲＦＩＤ２００の各部へ電源を供給する。
【００２８】
復調回路２０４は受信回路２０９から受信した信号を伝送用の所定信号に復調後、制御回路２０２に送信する。制御回路２０２は復調回路２０４から受信した信号が不揮発性メモリ２０１に記憶する信号であれば、不揮発性メモリ２０１に送信する。また、制御回路２０２は、復調回路２０４が受信した信号が、不揮発性メモリ２０１の内容を読み出す命令であれば、不揮発性メモリ２０１の内容を読み出し、変調回路２０３に送信する。変調回路２０３は制御部２０２から受信した信号を送信回路２０６で伝送用の所定信号に変調し、送信アンテナ２０７に送る。送信アンテナ２０７は、送信回路２０６から受信した信号を電磁波として送信する。本体側のＲＦＩＤ通信回路１０４は、ＲＦＩＤ２００から受信した信号に対して増幅及び復調等の処理をし、処理後の信号を入出力制御部１１３に送信する。
【００２９】
不揮発性メモリ２０１には、そのＲＦＩＤ２００が取り付けられる文書に係る情報が格納される。図４を用いて、ＲＦＩＤ２００の不揮発性メモリ２０１に格納されている情報について説明する。図４は不揮発性メモリ２０１に格納されている情報の例を示す図である。図４に示すように、本実施例に係る不揮発性メモリ２０１には、文書フォーマットＩＤに加え、複数の文字情報１、２、３・・・が格納されている。文書フォーマットＩＤは、当該ＲＦＩＤ２００が付加された文書の紙面上における文字情報配置フォーマットを識別する識別子である。即ち、フォーマットＩＤはフォーマット特定情報である。文字情報１、２、３・・・は、紙面上に印刷若しくは手書きにより表示された文字情報が格納される領域である。ここで、本実施例に係る画像読取装置１のコントローラ１１０に含まれる文書フォーマット記憶部１１４に含まれる情報について図５を参照して説明する。
【００３０】
図５に示すように、文書フォーマット記憶部１１４は、図４において説明した文書フォーマットＩＤに対応するＩＤ、及び文字情報１、２、３・・・の紙面上における配置情報（文字配置情報）が格納されている。ＩＤは、図４に示す文書フォーマットＩＤと同様、フォーマット特定情報として用いられる。図６（ａ）、（ｂ）は、本実施例に係るＲＦＩＤ付き文書Ｐの文字情報配置フォーマットの一例として、図５に示すＩＤが“Ａ”、“Ｂ”の紙面を夫々示している。図６（ａ）、（ｂ）の例においては、ＲＦＩＤ付き文書Ｐが宅配便の伝票として用いられる例を示す。図６（ａ）、（ｂ）に示すように、本実施例に係る文字情報配置フォーマットにおいては、紙面の左上端を原点とし、紙面横方向をＸ軸、縦方向をＹ軸としている。文書フォーマット記憶部１１４に格納されている文字配置情報においては、夫々の文字情報が表示される領域を指定するため、領域の左上座標、領域のＸ軸方向範囲（幅）及び領域のＹ軸方向範囲（高さ）幅を指定している。これにより、夫々の文字情報の範囲が長方形として指定される。図６（ａ）に示す文書においては、文字情報１として“氏名”、文字情報２として“住所”、文字情報３として“電話番号”が夫々割り当てられている。また、図６（ｂ）に示す文書においては、文字情報１として“氏名”、文字情報２として“住所”が割り当てられている。
【００３１】
次に、図７に示すシーケンス図を用いて、本実施例に係る画像読取装置１の動作を説明する。ユーザによってディスプレイパネル１０６が操作され、主制御部１１１が入出力制御部１１３を介してＲＦＩＤ書き込み命令を受信すると、主制御部１１１は、エンジン制御部１１２にＲＦＩＤ書き込み命令を通知する（Ｓ７０１）。主制御部１１１からＲＦＩＤ書き込み命令通知を受けたエンジン制御部１１２は、ＲＦＩＤ通信回路に対してＲＦＩＤ２００から文書フォーマットＩＤを読み出すよう指示する（Ｓ７０２）。エンジン制御部１１２から文書フォーマットＩＤ読み出し指示を受けたＲＦＩＤ通信回路１０４は、ＲＦＩＤ２００に対して情報読出信号を送信する（Ｓ７０３）。情報読出信号を受信したＲＦＩＤ２００は、不揮発性メモリ２０１から文書フォーマットＩＤを読み出し、ＲＦＩＤ通信回路１０４に対して送信する（Ｓ７０４）。ＲＦＩＤ２００から文書フォーマットＩＤを受信したＲＦＩＤ通信回路１０４は、当該受信した文書フォーマットＩＤをエンジン制御部１１２に通知する（Ｓ７０５）。
【００３２】
ＲＦＩＤ通信回路１０４から文書フォーマットＩＤを受信したエンジン制御部１１２は、当該受信した文書フォーマットＩＤを主制御部１１１に通知する。主制御部１１１は、エンジン制御部１１２から受信した文書フォーマットＩＤに基づき、文書フォーマット記憶部１１４にアクセスして図５に示す文書フォーマットを検索する。エンジン制御部１１２は、主制御部１１１から検索結果を受信することにより、文書フォーマットを確認する（Ｓ７０６）。即ち、エンジン制御部１１２が、文字は位置情報を取得するための取得手段として機能する。そして、エンジン制御部１１２は、ＡＤＦ１０１、スキャナユニット１０２を駆動し、撮像を実行して画像情報を生成する（Ｓ７０７）。Ｓ７０７において生成された画像情報は、コントローラ１１０が有する記憶領域において一時的に保持される。エンジン制御部１１２は、Ｓ７０７において生成した画像情報から文書フォーマット（Ｓ７０６にて確認した文書フォーマット）において指定されている範囲の画像情報を抽出する（Ｓ７０８）。この画像情報の抽出においては、ビットマップ等の既存の形式を用いることができる。
【００３３】
Ｓ７０８において、図５に示すＩＤが“Ａ”の場合、エンジン制御部１１２は、Ｓ７０６において確認した文書フォーマットに基づき、図６（ａ）に示すように文字情報１、文字情報２及び文字情報３として指定されている座標範囲の画像情報を抽出する。即ち、文字配置情報が抽出範囲を特定するための情報として機能する。この時、Ｓ７０７において形成された画像情報の左上端を、原点、即ち座標（０,０）の点とする。このようにして、文字情報１、２、３・・・に対応する画像情報が抽出される。エンジン制御部１１２は、Ｓ７０８において抽出された画像情報をＯＣＲ（Ｏｐｔｉｃａｌ  Ｃｈａｒａｃｔｏｒ  Ｒｅｃｏｇｎｉｔｉｏｎ：光学文字認識）により文字情報に変換する（Ｓ７０９）。Ｓ７０９においては、既存の文字情報認識技術を用いることができる。尚、Ｓ７０９においてはデジタル情報に基づいて文字認識を実行しており、厳密には光学文字認識ではないが、ＲＦＩＤ付き文書Ｐの紙面を光学的に走査して生成されたデジタル情報に基づくため、光学文字認識と称する。これにより、文字情報１、２、３・・・に夫々対応する文字情報が生成される。
【００３４】
エンジン制御部１１２は、Ｓ７０９にて文字情報を生成すると、その文字情報をＲＦＩＤ２００に記憶するようにＲＦＩＤ通信回路に対して文字情報書き込み指示を送信する（Ｓ７１０）。この時、Ｓ７０９にて生成した文字情報も同時に送信する。文字情報書き込み指示を受信したＲＦＩＤ通信回路１０４は、ＲＦＩＤ２００に対して情報書き込み信号を送信する（Ｓ７１１）。この時、Ｓ７１０において文字情報書き込み支持と同時に受信した文字情報も同時に送信する。情報書き込み信号及び文字情報を受信したＲＦＩＤ２００は、不揮発性メモリ２０１に文字情報を書き込む（Ｓ７１２）。即ち、エンジン制御部１１２が情報書き込み手段として機能する。この時、図４に示すように、夫々の文字情報１、２、３・・・毎に記憶される。このような処理により、ＲＦＩＤ付き文書Ｐの紙面上に印刷若しくは手書きにより表示された文字を、電子情報としてＲＦＩＤ２００の不揮発性メモリ２０１に記憶することが可能となる。
【００３５】
以上説明したように、本実施例に係る画像読取装置及び記憶媒体付き文書においては、文書の紙面上に表示されている情報の記憶媒体への入力を簡略化することが可能となる。また、本実施例においては、画像読取装置１が、文書フォーマット記憶部１１４を有すると共に、そのフォーマット情報と関連付けられたフォーマットＩＤがＲＦＩＤ２００の不揮発性メモリ２０１に格納されている。これにより、画像読取装置１は、上記の例であれば異なる業者の宅配伝票等、複数の異なる文字情報配置フォーマットを有する文書に対応することが可能となる。また、本実施例においては、スキャナユニット１０２が撮像した画像情報をそのままＲＦＩＤ２００に記憶するのではなく、フォーマット情報によって指定された範囲の画像情報を文字認識することにより、文字情報として記憶している。これにより、ＲＦＩＤに記憶する情報量を低減することが可能となるため、結果的に、文書に付加するＲＦＩＤ２００（不揮発性メモリ２０１）の記憶容量を低減することが可能となる。
【００３６】
尚、上記の説明においては、図６（ａ）、図６（ｂ）に示すように、文書フォーマット記憶部１１４に記憶されている座標範囲を文字認識する例を説明した。ここで、図６（ａ）、図６（ｂ）に示すように、夫々の座標範囲には、“氏名”、“住所”等の活字が予め表示されている場合がある。文字認識処理に際しては、これらの活字を文字認識補助情報として用いることにより、識字率の向上を図ることが可能となる。これら、補助情報として用いる活字情報は、図５に示す文字情報の配置情報と同様に、文書フォーマット記憶部１１４に記憶しておくことができる。
尚、上記の説明においては、図７に示すように画像読取装置１によるＲＦＩＤ書き込み動作として説明した。このＲＦＩＤ書き込み動作は、例えば画像読取装置１をスキャナとして駆動し、ＲＦＩＤ付き文書Ｐを撮像する際に併せて実行しても良いし、画像読取装置１に画像形成機能（プリンタ）を付加し、ＲＦＩＤ付き文書Ｐを複写する際に併せて実行しても良い。
同様に、上記の説明においては、原稿の撮像機能のみを有する画像読取装置１を例として説明したが、これに画像形成機能を併せ持つ複合機として構成することも可能である。また、上記の画像読取機能と画像形成機能とを連動させた複写機能や、ファクシミリ及び後処理機能等その他の画像若しくは文書処理機能を有する複合機であっても良い。上記画像形成機能としては、電子写真方式やインクジェット方式の画像形成手段を用いることができる。
【００３７】
また、上記の説明においては、文書に付加されている記憶媒体の通信インターフェースとしてＲＦＩＤを用いる例を説明したが、この他、Ｂｌｕｅｔｏｏｔｈ等の他の非接触通信インターフェースを用いることも可能である。更には、非接触通信インターフェースに限らず、接触型の通信インターフェースを用いても良い。このような場合、ＲＦＩＤ通信回路１０４に対応する通信回路は、夫々のインターフェースに対応する通信回路として設けられる。他方、本実施例において光学的に読み取るべき機密文書は所定のサイズではなく、様々なサイズとなり得る。ここで、文書に貼付する記憶媒体のインターフェースを接触型のインターフェースとする場合、様々なサイズの用紙においても記憶媒体の位置が所定の位置となるように規格化する必要があり、困難である。用紙に付加する記憶媒体のインターフェースをＲＦＩＤのような非接触型インターフェースとすることにより、このような課題を回避することが可能となる。
【００３８】
また、上記の説明においては、ＲＦＩＤ通信回路１０４がエンジン制御部１１２に接続されると共に、文書フォーマット記憶部１１４が主制御部１１１に接続されている例を説明した。従って、上記説明した例においては、文書フォーマットＩＤを受信したエンジン制御部１１２が主制御部１１１に文書フォーマットＩＤを通知し、主制御部１１１が文書フォーマット記憶部１１４から図５に示す文書フォーマットに係る情報を取得してエンジン制御部１１２に通知する。この他、例えばフォーマット記憶部１１４がエンジン制御部１１２に接続されており、エンジン制御部１１２がフォーマット記憶部１１４から直接文書フォーマットに係る情報を取得しても良い。また、ＲＦＩＤ通信回路１０４が主制御部１１１に接続されており、エンジン制御部１１２は主制御部１１１から文書フォーマットに係る情報（図５に示す文字情報配置情報等）の通知を受けるのみでも良い。
【００３９】
また、上記の説明において、ＲＦＩＤ通信回路１０４は、ＡＤＦ１０１から排紙トレイ１０３までを搬送される文書に設けられたＲＦＩＤとの通信を行う例を説明した。この他、例えばスキャナユニット１０２に搬送された文書に付加されているＲＦＩＤ２００との通信を行うようにすることもできる。また、ＡＤＦ１０１とスキャナユニット１０２との間及びスキャナユニット１０２と排紙トレイ１０３との間に、夫々ＲＦＩＤ通信回路１０４を設けても良い。特に、複数のＲＦＩＤ付き文書が重ねられてＡＤＦ１０１にセットされる場合、ＡＤＦ１０１にセットされた状態において１つのＲＦＩＤ２００と通信することは難しいため、ＲＦＩＤ通信回路１０４は、ＡＤＦ１０１からＲＦＩＤ付き文書Ｐが搬送された後、当該文書に付加されたＲＦＩＤ２００と通信することが好ましい。
【００４０】
また、上記の説明においては、図５において説明したように、文書フォーマット記憶部１１４に文字情報配置情報が記憶されており、エンジン制御部１１２は、この文字情報情報に従って、画像情報を抽出する例を説明した。この他、例えば図６（ａ）、図６（ｂ）に示すような“氏名”、“住所”、“電話番号”等の文字情報を認識し、その文字情報が配置されている範囲と特定の関係にある範囲（例えば、左側の特定領域、下側の特定領域等の相対位置情報）を抽出するようにしても良い。このような場合、文書フォーマット記憶部１１４には、上記の認識すべき文字情報（抽出参照情報）が文字情報配置情報の代わりに格納される。尚、このような場合、上記抽出参照情報は、例えば、“氏名”、“住所”、“電話番号”等が表示された画像情報やその他の図形等の画像情報であっても良く、スキャナユニット１０２が撮像した画像情報と上記抽出参照情報の画像情報との比較により抽出範囲を判断する。
【００４１】
また、上記の説明においては、指定された範囲の画像情報を文字認識することにより、文字情報としてＲＦＩＤ２００に格納する例を説明した。これに限らず、指定された範囲の画像をそのまま画像情報として格納しても良い。この場合においても、撮像した画像をすべて格納する場合に比べて記憶容量を低減することが可能となる。また、文字の誤認識により誤った情報が格納されてしまう可能性を回避することができる。更には、ＲＦＩＤ２００への情報格納時の処理を簡略化することが可能となる。
【００４２】
また、上記の説明においては、文書フォーマット記憶部に複数のフォーマット情報が格納されており、文書に付加されたＲＦＩＤ２００から取得した文書フォーマットＩＤに対応するフォーマット情報に基づいて、撮像画像から抽出する範囲を特定する例を説明した。この他、例えばユーザがＲＦＩＤ書き込み命令を入力する際に、ディスプレイパネル１０６を介して文書フォーマットＩＤを指定するようにしても良い。また、文書フォーマット記憶部１１４には複数のフォーマットではなく一のフォーマットに係るフォーマット情報が格納されており、ＲＦＩＤ書き込み動作の際には、常にそのフォーマットに従って撮像画像から情報を抽出するようにしても良い。
【実施例２】
【００４３】
実施例１においては、画像読取装置が文書フォーマット記憶部１１４を有し、ＲＦＩＤ付き文書Ｐの紙面に表示される文字情報の配置が予め記憶されている例を説明した。本実施例においては、ＲＦＩＤ付き文書Ｐに付加されたＲＦＩＤ２００中に、文字情報配置に係る情報が記憶されている例を説明する。尚、実施例１と同様の符号を付す構成については実施例１と同一又は相当部を示し、説明を省略する。実施例１に係る方法においては、紙面上の文字情報配置情報を画像読取装置１側に予め記憶しておくことにより、ＲＦＩＤ２００には文書フォーマットを一意に識別するＩＤを記憶しておけば良く、ＲＦＩＤ２００に求められる記憶容量の面でメリットがあった。しかしながら、実施例１の例の場合、文書フォーマット記憶部１１４に登録されていないフォーマットには対応できない。本実施例においては、ＲＦＩＤ２００側に文書フォーマットに関する情報を記憶しておく例を説明する。
【００４４】
図８は、本実施例に係る画像読取装置１の全体構成を示すブロック図である。図８に示すように、本実施例に係る画像読取装置１は、実施例１の態様に対して文書フォーマット記憶部１１４が省略された態様となっている。尚、本実施例に係るＲＦＩＤ付き文書Ｐ及びＲＦＩＤ２００の構成は実施例１に示す態様と同等である。次に、図９を用いて、本実施例に係るＲＦＩＤ２００の不揮発性メモリ２０１に格納されている情報について説明する。図９に示すように、本実施例に係る不揮発性メモリ２０１には、文書フォーマットＩＤに加え、ＲＦＩＤ付き文書Ｐの紙面上に表示される夫々の文字情報を一意に識別する文字情報ＩＤ及びその文字情報の紙面上における位置を示す文字配置情報並びにその文字情報が格納されている。文字配置情報は、実施例１における文書フォーマット記憶部１１４に格納されている文字情報１配置情報、文字情報２は位置情報、・・・と同じく、紙面上における座標、幅及び高さによって規定される。
【００４５】
次に、図１０を用いて、本実施例に係る画像読取装置１の動作について説明する。図１０は、本実施例に係る画像読取装置１の動作を示すシーケンス図である。図１０に示すように、本実施例に係る画像読取装置１のＲＦＩＤ書き込み動作は、略実施例１の図７において説明した例と同等である。ここで、実施例１においては、Ｓ７０２からＳ７０６において、エンジン制御部１１２がＲＦＩＤ通信回路１０４を介してＲＦＩＤ２００から文書フォーマットＩＤを読出し、主制御部１１１からの通知を受けて文書フォーマットを確認した。これに対し、本実施例においては、Ｓ１００２からＳ１００６において、エンジン制御部１１２がＲＦＩＤ通信回路１０４を介して、ＲＦＩＤ２００から図９に示す文書フォーマット情報（文字配置情報）を読み出す（Ｓ１００２、Ｓ１００３、Ｓ１００４、Ｓ１００５）ことにより、文書フォーマットを確認する（Ｓ１００６）。ここで、エンジン制御部１１２によるＲＦＩＤ２００からの文書フォーマット読出し命令は、夫々の文字情報毎に複数回実行されても良いし、一の通信命令で全ての文字情報に係る文字配置情報を読み出しても良い。
【００４６】
以上説明したように、本実施例に係る画像読取装置及び記憶媒体付き文書においては、画像読取装置に予め文書のフォーマット情報を記憶しておくことなく、文書の紙面上に表示されている情報の記憶媒体への入力を簡略化することが可能となる。
尚、本実施例に係る方法を実施例１の方法と併用することも可能である。即ち、本実施例に係る画像読取装置１が文書フォーマット記憶部１１４を有し、図１０のＳ１００１において、ＲＦＩＤ書き込み命令を受信した後、先ず図７に示すＳ７０２〜Ｓ７０６の動作を実行する。ここで、図７のＳ７０６において、主制御部１１１は、文書フォーマット記憶部１１４にエンジン制御部１１２から通知を受けた文書フォーマットＩＤと一致するＩＤがなかった場合に、図１０に示すＳ１００２からＳ１００６の動作を実行する。これにより、例えば、汎用的な文書については、予め文書フォーマット記憶部１１４に情報を登録しておくことにより、ＲＦＩＤ２００の記憶容量削減やＲＦＩＤ２００への情報登録の不要化等を図ることができる。また、使用頻度の低い文書については、予め文書フォーマット記憶部１１４に情報を登録することなく、文書の紙面上に表示されている情報の記憶媒体への入力を簡略化することが可能となる。
【００４７】
また、上記説明したように、実施例１に係る方法と実施例２に係る方法とを併用する場合、文書フォーマット記憶部１１４に記憶されていないフォーマットをＲＦＩＤ２００から読み出してＲＦＩＤへの情報記録を実行した場合、そのＲＦＩＤ２００から読み出した文書フォーマットＩＤ及び文字配置情報を文書フォーマット記憶部１１４に登録するようにしても良い。これにより、次回からは、ＲＦＩＤ２００から文書フォーマットＩＤを読み出すのみで良く、処理を簡略化することが可能となる。
【実施例３】
【００４８】
実施例１においては、図６（ａ）、図６（ｂ）に示すように、“氏名”、“住所”等の文字情報を記載する範囲やその他の情報が表示されたＲＦＩＤ付き文書Ｐが予め用意されていることが前提となっている。本実施例においては、これらのＲＦＩＤ付き文書Ｐを簡易に生成する画像形成装置の例を説明する。尚、実施例１と同様の符号を付す構成については実施例１と同一又は相当部を示し、説明を省略する。本実施例に係る画像形成装置１０は、図１１に示すように、図１に示す画像読取装置１に加えて、給紙テーブル１０７、プリントエンジン１０８及び排紙トレイ１０９を有する。
【００４９】
また、本実施例に係るエンジン制御部１１２は、実施例１において説明した役割に加えてプリントエンジン１０７やスキャナユニット１０２等を制御若しくは駆動する駆動手段としての役割を担う。即ち、本実施例に係るエンジン制御部１１２は、主制御部１１１の命令に従って給紙テーブル１０６に含まれる給紙ローラや搬送ローラを駆動し、プリントエンジン１０７に用紙を搬送すると共に、印刷ジョブに基づいて生成された画像形成情報に基づいてプリントエンジン１０７を駆動し、用紙に対して画像形成を実行させる。プリントエンジン１０７によって画像形成が施された文書は排紙トレイ１０８に排紙される。更に、本実施例に係るＲＦＩＤ通信回路１０４は、プリントエンジン１０７に搬送された文書に設けられたＲＦＩＤとの通信が可能である。
【００５０】
次に、図１２を用いて、本実施例に係る文書フォーマット記憶部１１４に格納されている情報について説明する。図１２は、本実施例に係る文書フォーマット記憶部１１４において、一の文書フォーマット情報に含まれる情報を示す図である。実施例１においては、図５において説明したように、一の文書フォーマット情報は、ＩＤ及び文字配置情報が含まれる。これに対し、本実施例においては、図１２に示すように、文書画像情報を更に含む。文書画像情報は、図６（ａ）、図６（ｂ）に示すような、紙面上に予め表示される画像を印刷するための情報である。即ち、宅配伝票であれば、宅配会社の社名や住所及び電話番号に加え、送り主の氏名、住所等の記入欄や送付先の氏名、住所、電話番号等の記入欄の画像情報である。尚、文書フォーマット記憶部１１４における文書画像情報の格納に際しては、インデックス法等の圧縮技術を用いることにより、文書フォーマット記憶部１１４が要する記憶容量の低減を図ることが可能となる。
【００５１】
次に、図１３を用いて、本実施例に係る画像形成装置１０のＲＦＩＤ付き用紙生成動作について説明する。図１３は、本実施例に係る画像形成装置１０のＲＦＩＤ付き用紙生成動作を示すシーケンス図である。本実施例に係る画像形成装置１０を用いて、ＲＦＩＤ付き文書Ｐを生成する際には、ユーザは白紙のＲＦＩＤ付き文書Ｐを用意する。また、このＲＦＩＤ付き文書Ｐに付加されているＲＦＩＤ２００の不揮発性メモリ２０１は初期化されている。ユーザは、このＲＦＩＤ付き文書Ｐを給紙テーブル１０７にセットし、ディスプレイパネル１０６を介してＲＦＩＤ付き用紙生成命令（文書生成命令）を入力する（Ｓ１３０１）。ここで、ユーザは、文書生成命令を入力する際に、紙面上に形成する文書フォーマットのＩＤを指定する。ここで指定するＩＤとは、文書フォーマット記憶部１１４に記憶されている文書フォーマットＩＤのいずれか１つである。
【００５２】
エンジン制御部１１２は、文書生成命令に含まれる文書フォーマットＩＤを主制御部１１１に通知する。主制御部１１１は、エンジン制御部１１２から受信した文書フォーマットＩＤに該当する文書画像情報を文書フォーマット記憶部１１４から読出し、エンジン制御部１１２に送信する。エンジン制御部１１２は、主制御部１１１から文書画像情報を受信することにより、文書フォーマットを確認する（Ｓ１３０２）。エンジン制御部１１２は、文書フォーマットを確認すると、給紙テーブル１０７にセットされた白紙のＲＦＩＤ付き文書Ｐをプリントエンジン１０８に搬送する（Ｓ１３０３）。そして、エンジン制御部１３０３は、ＲＦＩＤ通信回路に対してＲＦＩＤ２００への文書フォーマットＩＤの書き込みを指示する（Ｓ１３０４）。この時、エンジン制御部１１２は、ＲＦＩＤ２００に格納すべき文書フォーマットＩＤも同時に送信する。
【００５３】
エンジン制御部１１２から文書フォーマットＩＤ書き込み指示を受けたＲＦＩＤ通信回路１０４は、ＲＦＩＤ２００に対して文書フォーマットＩＤ及び情報書き込み信号を送信する（Ｓ１３０５）。情報書き込み信号を受信したＲＦＩＤ２００は、不揮発性メモリ２０１に文書フォーマットＩＤを書き込み（Ｓ１３０６）、ＲＦＩＤ通信回路１０４に対して書き込み完了信号を送信する（Ｓ１３０７）。ＲＦＩＤ２００から書き込み完了信号を受信したＲＦＩＤ通信回路１０４は、エンジン制御部１１２に書き込み完了通知を送信する（１３０８）。書き込み完了通知を受信したエンジン制御部１１２は、プリントエンジン１０８を駆動し、Ｓ１３０２にて取得した文書画像情報に基づいてＲＦＩＤ付き文書Ｐの紙面に画像形成を実行する（Ｓ１３０９）。その後、エンジン制御部１１２は、プリントエンジン１０８を駆動し、紙面上に画像が形成されたＲＦＩＤ付き文書Ｐを排紙トレイ１０９に排紙する（Ｓ１３１０）。これにより、紙面上に所定のフォーマットが形成され、付加されたＲＦＩＤに当該フォーマットに対応するＩＤが格納されたＲＦＩＤ付き文書Ｐが生成される。
【００５４】
このように、本実施例に係る画像形成装置１０においては、予め装置内の文書フォーマット記憶部１１４に格納されている文書画像情報をＲＦＩＤ付き文書Ｐの紙面上に印刷すると共に、その文書画像情報に係る文書フォーマットＩＤを付加されたＲＦＩＤ２００に格納する。これにより、ＲＦＩＤ付き文書Ｐを簡易に生成することが可能となる。
尚、上記の説明においては、ユーザがディスプレイパネル１０６を介してＲＦＩＤ付き用紙生成命令を入力する例を説明した。しかしながら、ホストＩ／Ｆ１０５を介してＬＡＮ等に接続されているホスト装置から入力することも可能である。また、上記の説明においては、文書フォーマット記憶部１１４に文書画像情報が予め記憶されていることを前提として説明したが、ユーザがＲＦＩＤ付き文書Ｐ生成命令と同時に入力しても良い。これにより、任意のフォーマットを有するＲＦＩＤ付き文書Ｐを作成可能となる。
また、上記の説明においては、実施例１において説明した画像読取装置１に更にＲＦＩＤ付き用紙生成機能を付加する例を説明したが、本実施例に係るＲＦＩＤ付き用紙生成機能を単体で有する画像形成装置として構成しても良い。そのような場合、文書フォーマット記憶部１１４に格納すべき情報は文書フォーマットＩＤ及び文書画像情報のみで良く、図１２に示すような文字情報配置情報は必要ない。
【実施例４】
【００５５】
実施例１においては、スキャナユニット１０２による撮像画像を文字認識することにより生成した文字情報を、ＲＦＩＤ通信回路１０４を介してＲＦＩＤ２００に書き込む例を説明した。しかしながら、ＲＦＩＤは非接触型の通信形式を用いるため、情報の書き込みに失敗する可能性がある。本実施例においては、既に不揮発性メモリ２０１に文字情報が格納されているＲＦＩＤ付き文書において、不揮発性メモリ２０１に格納されている情報の正誤を確認する例を説明する。尚、実施例１と同様の符号を付す構成については実施例１と同一又は相当部を示し、説明を省略する。本実施例に係る画像読取装置１は、図１に示す画像読取装置１と概ね同一の構成を有する。
【００５６】
次に、図１４を用いて、本実施例に係る画像読取装置１における記憶情報確認動作について説明する。ユーザは、紙面上に記載された文字情報が既に不揮発性メモリ２０１に記憶されているＲＦＩＤ付き文書Ｐを、ＡＤＦ１０１にセットし、ディスプレイパネル１０６を操作して記憶情報の確認命令を入力する（Ｓ１４０４）。ディスプレイパネル１０６に入力された記憶情報確認命令は、入出力制御部１１３を介して主制御部１１１に通知される。記憶情報確認命令を受信した主制御部１１１は、エンジン制御部１１２に対して、ＲＦＩＤ２００に記憶されている情報の読み出しを指示する（Ｓ１４０２）。エンジン制御部１１２は、主制御部の指示を受けて、ＲＦＩＤ通信回路１０４を介してＲＦＩＤ２００に記憶されている情報を読み出し、主制御部１１１に送信する。ここで、読み出される情報は、図４に示す情報である。
【００５７】
主制御部１１１は、エンジン制御部１１２を介してＲＦＩＤ２００に記憶されている情報の取得に成功すると（Ｓ１４０３）、読み出した情報中の文書フォーマットＩＤを参照し、文書フォーマット記憶部１１４にアクセスして文書フォーマットを確認する（Ｓ１４０４）。他方、ＲＦＩＤ２００からの情報の読み出しに失敗した場合（Ｓ１４０３）、主制御部１１１は、該当する文書をエラー文書として処理し（Ｓ１４１１）、処理を終了する。エラー処理の具体的な内容については後述する。Ｓ１４０４の確認の結果、該当するフォーマットが文書フォーマット記憶部１１４に記憶されていなければ（Ｓ１４０５）、主制御部１１１は、該当する文書をエラー文書として処理し（Ｓ１４１１）、処理を終了する。他方、Ｓ１４０４の確認の結果、Ｓ１４０３において取得した文書フォーマットＩＤに該当するフォーマット（以降、該当フォーマットとする）が文書フォーマット記憶部１１４に記憶されていれば（Ｓ１４０５）、主制御部１１１は、エンジン制御部１１２を制御し、原稿をスキャナユニット１０２に搬送すると共に、該当フォーマットの文字配置情報において指定されている位置の撮像を実行し（Ｓ１４０６）、画像情報を生成する。尚、紙面上をすべて撮像した後に、指定位置の画像を抽出しても良い。
【００５８】
該当フォーマットにおいて指定されている範囲の画像情報生成が完了すると、エンジン制御部１１２は、Ｓ１４０６において撮像した画像情報に対して文字認識を実行することにより、文字情報へ変換する（Ｓ１４０７）。そして、エンジン制御部１１２は、Ｓ１４０７において生成した文字情報とＳ１４０３において取得した情報に含まれる文字情報（以降、両文字情報）とを比較する（Ｓ１４０８）。Ｓ１４０８の比較の結果、両文字情報が一致すれば（Ｓ１４０９）、エンジン制御部１１２は、その結果を主制御部１１１に通知する。主制御部１１１は、エンジン制御部１１２からの比較結果一致の通知を受けて、文書の紙面上に表示されている情報と文書に付加されているＲＦＩＤに格納されている文字情報とは相違ないとしてチェックＯＫ表示をディスプレイパネル１０６に表示させ（Ｓ１４１０）、処理を終了する。他方、Ｓ１４０８の比較の結果、両文字情報が一致しなければ（Ｓ１４０９）、エンジン制御部１１２は主制御部１１１にその旨の通知し、主制御部１１１は、該当する文書をエラー文書として処理し（Ｓ１４１１）、処理を終了する。
【００５９】
上記のエラー処理においては、Ｓ１４０３、Ｓ１４０５及びＳ１４０９の夫々のエラー内容をディスプレイパネル１０６に表示することによりユーザにエラー内容を通知することができる。また、実施例３において説明したように、画像形成機能を有する複合機で実行する場合、文書をプリントエンジンに搬送し、紙面上に“ＮＧ”等の表示を印刷することにより、エラー文書と正常な文書との判別を容易にすることが可能となる。更には、複数の文書をまとめてチェックする場合、エラー文書と正常な文書とを異なる排紙トレイに排紙することにより、ユーザによる分別の手間を省くことが可能となる。尚、複数のＲＦＩＤ付き文書の情報確認を一括して行う場合は、図１４に示すＳ１４１０若しくはＳ１４１１の後、ＡＤＦ１０１にＲＦＩＤ付き文書がセットされているか否かを確認し、セットされている場合はＳ１４０２からの処理を繰り返す。Ｓ１４１１に示すエラー処理においては、これらのうちいずれか１つを実行しても良いし、複数を実行しても良い。
【００６０】
このように、本実施例に係る画像読取装置１においては、既に不揮発性メモリ２０１に文字情報が格納されているＲＦＩＤ付き文書において、不揮発性メモリ２０１に格納されている情報の正誤を容易に確認することができる。また、本実施例に係る記憶情報確認方法を用いることにより、複数のＲＦＩＤ付き文書における情報確認を一括して実行することが可能となる。
【実施例５】
【００６１】
実施例３においては、図６（ａ）、（ｂ）に示すような宅配伝票を生成する場合を例とし、文書に付加されたＲＦＩＤ２００に文書フォーマットＩＤを書き込むことを説明した。また、実施例１においては、紙面上に表示されている文字情報がＲＦＩＤ２００に書き込まれる例を説明した。しかしながら、他にも様々な情報をＲＦＩＤ２００に格納しておくことにより、文書の利便性を向上することができる。例えば、近年、映画や舞台及びコンサート等の入場チケットを購入する方法として、コンビニエンスストア等の店舗に設置された情報端末を操作して発券する方法がある。このような場合、その場で印刷処理が行われている。従って、このようなチケットに用いる用紙にＲＦＩＤ等の記憶媒体を付加し、認証情報を格納することにより、個人認証可能なチケットを生成することが可能となる。本実施例においては、ＲＦＩＤに個人認証情報を格納する例を説明する。尚、実施例３と同様の符号を付す構成については実施例１と同一又は相当部を示し、説明を省略する。
【００６２】
本実施例に係る画像形成装置１０は、図１１に示す画像形成装置１０と概ね同一の構成を有する。ここで、本実施例に係る文書フォーマット記憶部１１４は、文書フォーマットＩＤ及び文書画像情報を有し、図１２に示すような文字配置情報は含まない。次に、図１１を参照して本実施例に係る画像形成装置１０のＲＦＩＤ用紙生成動作について説明する。本実施例に係る画像形成装置１０のＲＦＩＤ用紙生成動作においては、ユーザによるディスプレイパネル１０６を介したＲＦＩＤ付き文書の生成命令において、生成すべき文書のフォーマットＩＤが指定されている。従って、主制御部１１１は、ＲＦＩＤ付き文書生成命令を受信すると、指定されている文書フォーマットＩＤを参照して文書フォーマット記憶部１１４にアクセスし、文書画像情報を取得する。
【００６３】
更に、主制御部１１１は、ＲＦＩＤ付き文書生成命令を受信すると、入出力制御部１１３を制御してディスプレイパネル１０６に認証情報入力画面を表示する。ユーザは、ディスプレイパネル１０６に表示された認証情報入力画面に応じて、認証情報を入力する。ここで、入力される認証情報とは、例えば指紋、掌紋、虹彩等のバイオメトリクス認証情報や、ユーザＩＤ、パスワード等の情報若しくはそれら複数の情報である。主制御部１１１は、ユーザにより認証情報が入力されると、エンジン制御部１１２に認証情報の書き込みを指示する。エンジン制御部１１２は、主制御部１１１の指示に従い、給紙テーブル１０７から白紙のＲＦＩＤ付き文書Ｐをプリントエンジン１０８に搬送すると共に、ＲＦＩＤ通信回路１０４を介して当該文書に付加されたＲＦＩＤ２００に認証情報を書き込む。認証情報の書き込みが完了すると、主制御部１１１は、エンジン制御部１１２を制御してプリントエンジン１０８を駆動し、文書フォーマット記憶部１１４から取得した文書画像情報に基づいて画像形成を実行する。
【００６４】
以上説明したように、本実施例に係る画像形成装置１０により、個人認証情報が記憶されたＲＦＩＤ付き文書Ｐを生成することが可能となる。個人認証情報が格納されたＲＦＩＤ付き文書を映画、舞台及びコンサートなどの入場チケットに適用することにより、入場時に個人認証を行うことが可能となる。
【図面の簡単な説明】
【００６５】
【図１】本発明の実施例に係る画像読取装置の全体構成を示すブロック図である。
【図２】本発明の実施例に係るＲＦＩＤ付き文書を模式的に示す平面図である。
【図３】本発明の実施例に係るＲＦＩＤ付き用紙に貼付されているＲＦＩＤの全体構成を示すブロック図である。
【図４】本発明の実施例に係るＲＦＩＤの不揮発性メモリに格納されている情報例を示す図である。
【図５】本発明の実施例に係る画像読取装置が有する文書フォーマット記憶部に格納されている情報例を示す図である。
【図６】本発明の実施例に係るＲＦＩＤ付き文書の紙面を模式的に示す図である。
【図７】本発明の実施例に係るＲＦＩＤへの情報書き込み動作を示すシーケンス図である。
【図８】本発明の他の実施例に係る画像読取装置の全体構成を示すブロック図である。
【図９】本発明の他の実施例に係るＲＦＩＤの不揮発性メモリに格納されている情報例を示す図である。
【図１０】本発明の他の実施例に係るＲＦＩＤへの情報書き込み動作を示すシーケンス図である。
【図１１】本発明の他の実施例に係る画像形成装置の全体構成を示すブロック図である
【図１２】本発明の他の実施例に係る画像形成装置が有する文書フォーマット記憶部に格納されている情報例を示す図である。
【図１３】本発明の他の実施例に係るＲＦＩＤ付き文書生成動作を示すシーケンス図である。
【図１４】本発明の他の実施例に係るＲＦＩＤ記憶情報確認動作を示すフローチャートである。
【符号の説明】
【００６６】
１    画像読取装置
１０    画像形成装置
１０１    ＡＤＦ
１０２    スキャナユニット
１０３    排紙トレイ
１０４    ＲＦＩＤ通信回路
１０５    ホストＩ／Ｆ
１０６    ディスプレイパネル
１０７    給紙テーブル
１０８    プリントエンジン
１０９    排紙トレイ
１１０    コントローラ
１１１    主制御部
１１２    エンジン制御部
１１３    入出力制御部
１１４    文書フォーマット記憶部
２００    ＲＦＩＤ
２０１    不揮発性メモリ
２０２    制御回路
２０３    変調回路
２０４    復調回路
２０５    電源回路
２０６    送信回路
２０７    送信用アンテナ
２０８    受信用アンテナ
２０９    受信回路
【図１】
2008236088.tif 000003
【図２】
2008236088.tif 000004
【図３】
2008236088.tif 000005
【図４】
2008236088.tif 000006
【図５】
2008236088.tif 000007
【図６】
2008236088.tif 000008
【図７】
2008236088.tif 000009
【図８】
2008236088.tif 000010
【図９】
2008236088.tif 000011
【図１０】
2008236088.tif 000012
【図１１】
2008236088.tif 000013
【図１２】
2008236088.tif 000014
【図１３】
2008236088.tif 000015
【図１４】
2008236088.tif 000016